(57)【特許請求の範囲】
【請求項１】
空気流量を調節するための複数の空気調整区画と、
前記空気調整区画を迂回させる空気の流通路を作るためそれぞれ前記空気調整区画の近くに設けた複数のバイパス区画と、
前記空気調整区画への空気流を遮断する前記空気調整区画の前方にある第１位置と前記バイパス区画を通る空気流を遮断する第２位置との間を選択的に移動する複数の移動可能パネル部材とを備え、
前記移動可能パネル部材を第１位置と第２位置との間に選択的に配置することにより、前記空気調整区画および前記バイパス区画を通る空気量を変化させ、前記空気調整区画で調整されるべき空気量を選択的に変えるように構成し、
前記空気調整区画の前方かつ前記複数の移動可能パネルの後方の空気流方向の上流に配置された有孔板をさらに備えてなる空気調整システムにおける空気処理システムであって、
前記有孔板が、前記空気調整区画の上流には有孔区画および無孔区画の両方を、前記バイパス区画の上流には有孔区画を有し、
前記複数の移動可能パネル部材が、それらの第１位置で、前記空気調整区画の上流にある前記有孔板の有孔区画と整合しかつ前記バイパス区画の上流にある有孔板の有孔区画とは整合せず、それらの第２位置で、前記空気調整区画の上流にある前記有孔板の無孔区画および前記バイパス区画の上流にある前記有孔板の有孔区画と整合するように配列されていることを特徴とする空気処理システム。
【請求項２】
前記空気調整区画およびバイパス区画への空気の流通路を作るため前記各空気調整区画の近くに複数の側部パネル部材を有することを特徴とする請求項１記載の空気処理システム。
【請求項３】
前記複数の移動可能パネル部材が、前記空気処理システムを通る空気流の方向に対し横方向に滑走可能に取り付けられ且つ前記側部パネル部材と空気密封状態にあるように配置されて前記第１位置にあるときには前記空気調整区画を通る空気流を制限し且つ前記第２位置にあるときには前記バイパス区画を通る空気流を制限するように構成されることを特徴とする請求項２記載の空気処理システム。
【請求項４】
空気流量を調節するための複数の空気調整区画と、
前記空気調整区画を迂回させる空気の流通路を作るため前記空気調整区画の近くに設けられた複数のバイパス区画と、
前記空気調整区画の前方にある、前記空気調整区画への空気流を遮断する第１位置と前記バイパス区画を通る空気流を遮断する第２位置との間を選択的に移動する複数の移動可能パネル部材とを備え、
前記移動可能パネル部材を選択的に位置させることにより、前記空気調整区画と前記バイパス区画を通る空気量を変化させ、前記空気調整区画で調整されるべき空気量を選択的に変えるように構成され、
前記空気調整区画の前方の空気流方向の上流に配置された有孔板をさらに備え、
前記有孔板が、前記空気調整区画の上流には有孔区画および無孔区画の両方を、前記バイパス区画の上流には有孔区画を有し、
前記複数の移動可能パネル部材が、それらの第１位置で、前記空気調整区画の上流にある前記有孔板の有孔区画と整合しかつ前記バイパス区画の上流にある有孔板の有孔区画とは整合せず、それらの第２位置で、前記空気調整区画の上流にある前記有孔板の無孔区画および前記バイパス区画の上流にある前記有孔板の有孔区画と整合するように配列され、
前記有孔板の孔が均等に隔置されておらず、かつ前記移動可能パネルが前記第１位置から前記第２位置へ移動し始めるとき最初に空気流に露出される前記有孔板の部分で孔の隔置が他の部分より広いことを特徴とする空気調整システムにおける空気処理システム。
【請求項５】
前記空気調整区画が給湿区画であることを特徴とする請求項４記載の空気処理システム。
【請求項６】
前記空気調整区画が空気冷却区画であることを特徴とする請求項４記載の空気処理システム。
【請求項７】
前記空気調整区画が空気加熱区画であることを特徴とする請求項４記載の空気処理システム。
【請求項８】
前記空気調整区画が除湿区画であることを特徴とする請求項４記載の空気処理システム。
【請求項９】
前記空気調整区画が空気冷却、空気加熱、給湿および除湿区画であることを特徴とする請求項４記載の空気処理システム。
【請求項１０】
空気調整装置の空気処理システムであって、前記空気調整装置を通る空気流と、周囲空気が調整されずに前記空気処理システム中を流通して、前記空気調整装置内で調整された空気と前記空気処理システムの下流で混合される空気バイパス区画を通る空気流との間で空気流量を変えるように構成された空気調整装置の空気処理システムにおいて、
加熱、冷却、給湿または除湿することにより、そこを通る周囲空気を調整するための複数の空気調整装置と、
前記空気調整装置を迂回するように周囲空気の流れを方向付けるためそれぞれ前記空気調整装置の近くに設けられた複数のバイパス区画と、
前記空気処理システムを通る周囲空気を、流入する周囲空気の全量が前記空気調整装置を通る第１空気流通路から、流入する周囲空気の全量が前記バイパス区画を通って調整されずに流れる第２空気流通路に、選択的に方向変換する装置とを備え、
前記周囲空気を選択的に方向変換する装置が、前記第１空気流通路と第２空気流通路との間の中間位置において前記空気調整装置と前記バイパス区画を通る周囲空気の量を変化させて、前記空気調整装置を通る空気が冷却、加熱、給湿または除湿の作用により調整され且つ前記バイパス区画を通る空気が調整されないようにするよう構成されており、
前記空気調整装置の前方の空気流方向の上流に配置され、該空気調整装置の上流に位置する通気区画および通気遮断区画並びに前記バイパス区画の上流に位置する通気区画を有するプレート装置をさらに備え、
前記周囲空気を選択的に方向変換する装置が、前記プレート装置の横方向に移動するように取り付けられた複数のパネルであって、それらの第１位置において、前記空気調整装置の上流の前記プレート装置の通気区画と整合しかつ前記バイパス区画の上流に位置する前記プレート装置の通気区画とは整合せず、それらの第２位置において、前記空気調整装置の上流の前記プレート装置の前記通気遮断区画および前記バイパス区画の上流の前記プレート装置の通気区画と整合するように配置されたパネルを備えることを特徴とする空気処理システム。
【請求項１１】
複数の空気調整装置と複数のバイパス区画を有することを特徴とする請求項１０記載の空気処理システム。
【請求項１２】
前記空気処理システムを通る周囲空気を選択的に方向変換する装置が、前記空気調整装置および前記バイパス区画の上流で前記空気処理システムを通る空気流方向を横切って配置され、且つ前記空気調整装置を通る空気流を遮断する第１位置と前記バイパス区画を通る空気流を遮断する第２位置との間を選択的に移動することができる複数のパネル部材を有し、前記第１位置と第２位置との間の中間位置において前記空気調整装置と前記バイパス区画を通る空気流を変化させて空気処理システムの下流で混合させるように構成されることを特徴とする請求項１１記載の空気処理システム。
【請求項１３】
空気調整装置の空気処理システムであって、前記空気調整装置を通る空気流と、周囲空気が調整されずに前記空気処理システム中を流通して、前記空気調整装置内で調整された空気と前記空気処理システムの下流で混合される空気バイパス区画を通る空気流との間で空気流量を変えるように構成される空気調整装置の空気処理システムにおいて、
加熱、冷却、給湿または除湿することにより、そこを通る周囲空気を調整するための複数の空気調整装置と、
前記空気調整装置を迂回するように周囲空気の流れを方向付けるため前記空気調整装置の近くに設けられた複数のバイパス区画と、
前記空気処理システムを通る周囲空気を、流入する周囲空気の全量が前記空気調整装置を通る第１空気流通路から、流入する周囲空気の全量が前記バイパス区画を通って調整されずに流れる第２空気流通路に、選択的に方向変換する装置とを備え、
前記周囲空気を選択的に方向変換する装置が、前記第１空気流通路と第２空気流通路との間の中間位置において前記空気調整装置と前記バイパス区画を通る周囲空気の量を変化させて、前記空気調整装置を通る空気が冷却、加熱、給湿または除湿の作用により調整され且つ前記バイパス区画を通る空気が調整されないようにするよう構成されており、
前記空気処理システムを通る周囲空気を選択的に方向変換する装置が、前記空気調整装置および前記バイパス区画の上流で前記空気処理システムを通る空気流方向を横切って配置され、且つ前記空気調整装置を通る空気流を遮断する第１位置と前記バイパス区画を通る空気流を遮断する第２位置との間を選択的に移動することができる複数のパネル部材を有し、前記第１位置と第２位置との間の中間位置において前記空気調整装置と前記バイパス区画を通る空気流を変化させて空気処理システムの下流で混合させるように構成されており、
前記空気調整装置および前記バイパス区画の上流に、間隔のおかれた通気孔を有する板部材を含んでなる、前記空気調整装置および前記バイパス区画を通る空気の圧力差を調節する装置を設け、
前記複数のパネル部材は、前記第１位置において、前記空気調整装置の上流に位置する前記板部材の通気孔とは整合するが前記バイパス区画の上流に位置する前記板部材の通気孔とは整合せず、前記第２位置において、前記バイパス区画の上流に位置する前記板部材の通気孔とは整合するが前記空気調整装置の上流に位置する前記板部材の通気孔とは整合しないように構成されることを特徴とする空気処理システム。
【請求項１４】
前記板部材の前記通気孔が該板部材全体に不均等に配置されていることを特徴とする請求項１３記載の空気処理システム。
【請求項１５】
前記パネル部材が前記第１位置から第２位置へ移動し始めるとき最初に露出される前記板部材の部分に在る通気孔が、残りの部分に在る通気孔よりも広く隔置されていることを特徴とする請求項１３記載の空気処理システム。
【請求項１６】
前記板部材の通気孔の間隔が該板部材を横切って徐々に減少することを特徴とする請求項１３記載の空気処理システム。
【発明の詳細な説明】
【０００１】
発明の分野
本発明は加熱用、換気用および空調用システムの空気調整システムを流通する空気量を制御するための空気処理システムに関する。特に、本発明の空気処理システムは、気候状態が流入空気量のすべてを冷却、加熱、加湿（給湿）または除湿する必要がないと指示したとき、流入空気量の一部分をバイパス区画に転向させ未調整のまま建物に通すよう、空気調整システムを通過する空気量を選択的に増減する。
【０００２】
発明の背景
オフィスビル、ホテル、共同住宅、その他の公共建物のような大型商業建物の空調作業において、全ての流入空気を建物全体に分配する前に、気候状態により調整する必要がない場合がしばしばである。例えば、加熱、換気、空調（ＨＶＡＣ）のシステムとして知られているこれらの空気調整システムは、夏期に流入空気を冷却するため、および冬期に流入空気を加熱するため、および調節されるべき空気の湿度に応じて、建物内に配送する前に加湿（給湿）または除湿するために使用されている。
【０００３】
したがって、最も最近のＨＶＡＣシステムでは、バイパスされる空気が加熱、冷却、加湿または除湿のシステム内で調整されないようにするため、流入空気の中の或る量をバイパスさせる設備を持っている。周囲の空気状態により建物内に分布される空気全体を調整する必要がないことが判明しているとき、上記バイパス設備は、経済的な観点から常識的なことであり且つ望ましいことである。暑い多湿の日に、流入空気の全部でなくても多量の部分が冷却され且つ除湿される。これに反して、涼しくて湿気の少ない夏の日に、空気は十分に冷たく乾燥しているので、冷却操作や除湿操作をすることなく建物内に直接分配される。同じような状態が冬期の暖かい日にも存在する。また、周囲空気状態により、流入空気のほんの一部を除いて全量を調整する必要がないことが判明するかもしれないが、この除いた一部の空気はＨＶＡＣ調整システムに入れて調整され、残りの空気はＨＶＡＣ調整システムをバイパスされ、終局的に建物全体に分布される前に調整ずみの空気と混合される。ＨＶＡＣ業界はバイパスシステムの効果を認識し且つ各種形式の可動ゲートや転換板や羽根およびダンパーを含む色々の方法、および既に空調し且つ調整した空気の一部を外部に排出せずに再循環させることにより空気バイパスシステムを設けることを考えた。このような解決法は問題の解決を試みているが全く成功せず且つこのような従来システム独特の問題を完全に解決することができなかった。
【０００４】
空調完了空気とバイパス空気とを適正に配分する際に、空調装置を流れる空気と空気バイパスシステムを流通する空気との間の圧力低下の差に起因して問題が発生する。また、枢動式ダンパーや羽根を使用しているバイパスシステムには、空気量の変化がダンパーや羽根の移動に直接的に関連していない理由により、制御の設計を困難にする問題が存在する。更に、これらのシステムは空気バイパス通路とシステムの空調部の空気通路との間の空気の流れを完全に密封できない。よって、空気バイパス通路と制御通路との間に空気漏れが生じ、空調すべき空気量とバイパスされるべき空気量との正確な制御がうまくできない。
【０００５】
ＨＶＡＣシステムが建物の内部の空気を調整している際に、空調空気量を外部の周囲空気の特性に基づいて制御することにより作動する市販のＨＶＡＣシステムの効果を最大限にするため進歩した高率作動を提供する空調／バイパスシステムの要望が現存している。
【０００６】
発明の概要
ＨＶＡＣシステムの空気処理システムの好適な実施の形態は、そこを通過する流入空気を加湿（給湿）するための水蒸気源を提供する複数の蒸発式給湿器を備えている。蒸発式給湿器の間にバイパス通路が設けられ、このバイパス通路が流入空気を蒸発式給湿システムをバイパスすなわち迂回させる。蒸発式給湿器の前方の流入空気ダクトの中に、空気流の方向を横切って一連の可動パネルが配置されている。第１位置において、パネルが蒸発式給湿システムの空気入口を覆って空気流を阻止し、且つ第２位置において、パネルが空気バイパスシステムへの空気入口を横切りバイパス通路の空気流を阻止する。第１位置と第２位置の中間において、パネルは流入空気の一部を蒸発式給湿器と空気バイパスシステムの両方に流通させる。軌道システムに添って滑走する可動パネルの相対的位置により、さらに多量の空気または少量の空気が蒸発式給湿器と空気バイパスシステムのいずれかに流れるように調節される。
【０００７】
第２の実施の形態において、蒸発式給湿器と空気バイパスシステムを横切る正確で精密な空気圧低下の調節が次の方法で実施される。すなわち、蒸発式給湿器と空気バイパスシステムの両者の前方に設けた有孔板に空気を通過させ、該有孔板の孔の大きさと間隔により圧力低下に希望の均一性を提供する。
【０００８】
また、本発明のバイパスシステムは別のＨＶＡＣ作用にも使用することができ、例えば冷却および／または加熱のユニットにおいて、除湿システムまたは加熱、冷却、加湿および／または除湿のシステムの組合せにおける場合と同様に、空気流中で使用することができる。また、これはすでに空気調整されている再循環空気を再循環させ且つ未だ空気調整されていない周囲空気と混合して建物の中に循環させる空気処理システムに使用することもできる。この場合に、再循環空気は調整ゾーンと称されている部分を通過し且つ未調整の周囲空気はバイパスを通過する。
【０００９】
本発明の目的はＨＶＡＣユニットと空気バイパスの間で流入空気を容易に簡単にバランスさせることができるＨＶＡＣシステムの空気処理システムを提供することにある。
【００１０】
本発明の別の目的はＨＶＡＣシステムの効率を最大にするため調整済み流入空気に対して未調整流入空気を選択的に線形に比例させることができるＨＶＡＣシステムの空気処理システムを提供することにある。
【００１１】
本発明の別の目的は、希望の結果を達成するための簡単にして頑丈な機構となる滑走自在のパネルを選択的に配置することにより、ＨＶＡＣシステム内で調整されるべき流入空気を平衡させるようになった空気平衡装置を提供することにある。
【００１２】
本発明のなお別の目的は、空気処理システムの上流または下流で装置を圧力平衡させるときに発生する問題点を緩和するため、空気バイパス通路とＨＶＡＣ調整部内通路との間の流入空気の平衡が一層均一な差圧低下で達成されるようになったＨＶＡＣシステムの空気処理システムを提供することにある。
【００１３】
好適な実施の形態の詳細な説明
好適な実施の形態の説明を添付図面と関連して熟読することにより本発明を一層完全に理解することができる。
【００１４】
本発明の空気処理システム１０はその一つの好適な実施の形態において、先ず図１Ａに示すように、複数の離れた空調コアー１２、１４、１６と、該空調コアーのそれぞれに近接した無障害空気バイパス区画１８、２０、２２を有する。空調コアーは希望の処理状態に応じて、流入空気を冷却する冷却ユニット、流入空気を加熱する加熱ユニット、加熱冷却結合ユニット、給湿ユニットまたは除湿ユニットとなる。また、空調コアーは任意の希望の空気調整を行えるよう加熱ユニット、冷却ユニット、給湿ユニットまたは除湿ユニットの組合せであってもよい。ＨＶＡＣ業界の当業者には明らかなように、空調コアーユニットは加熱、冷却、給湿または除湿の作用を遂行できる任意の標準型ユニットである。特定の形式のコアー空調ユニットは本発明の一部を構成しない。
【００１５】
周囲の空気が図示の矢印方向に空気処理システム１０に流入する。好適な実施の形態において、空調コアー１２、１４、１６とバイパス通路１８、２０、２２の全垂直高さに延びている一連の板２４が、空調コアー１２、１４、１６とバイパス通路１８、２０、２２のすぐ上流に比較的接近して並置されている。好ましくは、そのような板が３つ（２６、２８、３０）、各接近する空調コアーに配置されている。外側の板２６、３０は複数の孔３２を有し、中央板２８すなわちブランキング（blanking）板は孔を持たない。コアーを通る空気は有孔板２６、３０を貫通できるが、空気はブランキング板２８からコアーに流れない。同様に有孔板３４がバイパス通路１８、２０、２２の前部に配置され、空気が孔３２からバイパス通路の中を通る。
【００１６】
空調コアー１２、１４、１６とバイパス通路１８、２０、２２への空気流入量を調節するため横方向に移動（滑走）可能な一連のパネル３６、３８、４０、４２、４４、４６が設けられている。後で更に詳細に説明するが、前記パネル３６、３８、４０、４２、４４、４６は流入空気の全量がバイパス通路１８、２０、２２に通される第１位置と、流入空気の全量が空調コアー１２、１４、１６に通される第２位置との間を選択的に滑走できるよう軌道組立体に取り付けられている。バイパス通路を通るか、または空調コアーを通るいずれの場合でも各通路は、空調コアーの表面から外方に延びた側板５０により形成されている。移動可能パネル３６、３８、４０、４２、４４、４６が中間位置に在るとき、流入空気量は空調コアーとバイパス区画の両方を通過する。移動可能パネルすなわち滑走パネルの相対的位置により、空調コアーを通過するように方向付けられる空気量とバイパス区画を通過するように方向付けられる空気量との相対的比率が決まる。
【００１７】
このことは図１Ｂないし図１Ｄに図示されており、図１Ｂでは移動可能パネル３６、３８、４０、４２、４４、４６は空調コアー１２、１４、１６を通過するすべての空気を遮るように配置されており、したがって流入空気の全量がバイパス区画１８、２０、２２を通過する。図１Ｃでは移動可能パネル３６、３８、４０、４２、４４、４６が中間位置にあり、流入空気の一部を空調コアー１２、１４、１６に通し且つ流入空気の一部をバイパス区画１８、２０、２２に通すようになっている。図１Ｄでは移動可能パネル３６、３８、４０、４２、４４、４６はバイパス区画１８、２０、２２を通過する空気の全量を阻止し、流入空気の全量が空調コアー１２、１４、１６を通過するように配置されている。
【００１８】
図２−７を参照して本発明の実施の形態を説明するが、ここには上述の実施の形態で使用されたものと同一の番号を類似の部品に使用している。
【００１９】
最初に図２を参照すれば、この図の左半分に示す好適な実施の形態では、空調コアー１２はその内部に典型的な波形吸収媒体５２を配置した蒸発式給湿器である。水散布パイプ５４を通じて散布され吸収媒体５２上を流れる水を吸収媒体５２が吸収する（図４参照）。吸収されない水は再循環のため水だめ５６に集められる。
【００２０】
上述したように、給湿ユニットの各側部にバイパス空気通路１８、２０、２２が設けられ、該バイパス空気通路は移動可能パネル３６、３８、４０、４２、４４、４６が適正な位置にあるときバイパス空気通路の空気流を阻止し、その結果空気は給湿区画を通る。図２の左半分に示すように、本発明では給湿ユニットまたはバイパス空気通路上に有孔板を設ける必要がない。しかし、後述するように、このような有孔板は最適な作動状態を行うためには望ましい。
【００２１】
図２の右半分は本発明の別の実施の形態を示し、ここでは本発明の有孔板およびブランキング板が空調コアーとバイパス空気通路の前方に配置されている。ここに図示されているように、有孔板２６とブランキング板２８と有孔板３０が給湿ユニット１２の前方に配置されている。孔は空調媒体を流通する空気流を制御する任意の大きさを有し、流入空気の設計流量に基づいて決められる。また、孔と孔の間隔は不均一にすることが有益であると判明した。図２に示すように、有孔板２６と有孔板３０の一方の側は反対側に比較して一層離れた間隔で孔が設けられている。一層離れた間隔で孔が設けられている有孔板の側は、移動可能パネルが空気流を完全に阻止する位置から開放位置に移動したとき最初に露出される側である。空調ユニットを通る空気流の増加が徐々であれば空気の圧力急変が減少して圧力調節が改善される。
【００２２】
移動可能パネルの第１位置と第２位置を分割して図示している図３を参照する。図３の左側は、移動可能パネル３６−４６がバイパス区画を完全に閉塞し、流入空気流の全量が空調コアーの前方の有孔板２６、２８を流れるようにした状態を示している。
【００２３】
図３の右側は移動可能パネルの第１位置を示し、この位置では移動可能パネル３６−４６が空調コアー１２−１６への空気流を完全に阻止し、有孔板３４の横断によりバイパス通路１８−２２を露出させている。この状態ではすべての流入空気が前記バイパス通路１８−２２を通過するが、空調コアー１２−１６を通過しない。
【００２４】
移動可能パネル３６−４６の配置および移動の状況を簡単に説明するため図２、３、４、５を参照する。移動可能パネルは任意の方法で滑走自在に取り付けられ且つ移動される。例えば、移動可能パネルは１本または２本の軌道上にローラで取り付けられ且つ任意の機械式または電気式手段で移動させられる。パネルは手動、歯車駆動、空気式駆動または電気式駆動で操作される。好適な実施の形態では、移動可能パネル３６−４６が上部ガイド軌道５８と下部ガイド軌道６０に走行自在に取り付けられている（図１も参照）。
【００２５】
好ましくは、移動可能パネルはそれぞれ上部ガイド軌道５８と下部ガイド軌道６０のＶ溝軌道６４、６６を走行する、各パネル３６−４８の上端と下端に取り付けたＶ溝ローラに乗っている。
【００２６】
好ましくは、移動可能パネルを第１位置と第２位置の間で移動させるためリニア・アクチュエータすなわち線形作動器６８を使用しているが、その他の形式のアクチュエータを使用してもよい。
【００２７】
移動可能パネル３６−４６の位置はＨＶＡＣ業界の当業者に公知の任意の方法で決定される。建物内に分布されるべきである空気処理および空調用ユニットの下流空気および流入空気の温度と湿度のレベルを検知するためにセンサーが使用されている（図示せず）。マイクロプロセッサ（図示せず）が上流と下流のセンサーから来るデータを処理し、制御信号をリニア・アクチュエータ６８に発信し、このリニア・アクチュエータが移動可能パネルを感知状態に応じて適正な位置に移動させる。
【００２８】
有孔板２６、３０、３４の孔３２の大きさと間隔は、空調媒体とバイパスを通る空気の圧力差を最小にし且つこの圧力差をほぼ均一に維持するように決められる。媒体区画とバイパス区画と孔との間の静圧低下はそれぞれの区画の中の速度の二乗に比例することが分かった。媒体区画を横切る速度が増大するにつれ、媒体区画の入口の孔を横切る速度は同一圧力を維持させるため低下させなければならない。同時に、バイパス区画の孔の中の速度が確実に維持されるようにすることにより、すなわち、空気が多量にバイパス区画に転換されればされるほど、それに対応する孔が移動可能パネルにより露出されることにより、バイパス区画を横切る静圧が維持される。
【００２９】
関係式は次のようである。ここで
Ｐs ＝システムの静圧
Ｐm ＝媒体の静圧
Ｐpm＝孔の静圧（媒体）
Ｐb ＝バイパスの静圧
Ｐpb＝孔の静圧（バイパス）
Ｐs ＝Ｐm ＋Ｐpm＝Ｐb ＋Ｐpb
パネルが移動すれば  Ｐ’s ＝Ｐ’m ＋Ｐ’pm＝Ｐ’b ＋Ｐ’pb
媒体または孔またはバイパスの中の任意の点において区画を横切る速度（Ｖ）を変化させるときの新圧力低下はＰ’または
【数１】
0003756408.tif 000002
【数２】
0003756408.tif 000003
孔またはドアーの入口の大きさを変えることにより、各位置に希望の静圧を維持するよう速度を調節することができる。
【００３０】
このように、バイパス通路を横切る有孔板の孔の大きさおよび間隔を適正にすることにより、媒体およびバイパスの空気通路を横切って一貫した均一の圧力低下を維持することができる。このことは媒体およびバイパスの空気通路を通過する空気を直線状に調節することに顕著に貢献し、且つ移動可能パネルが空気流を開閉するときの静圧の変動を最小限にする。
【００３１】
図６、７は有孔板２６、３０、３４の孔３２の配置と方向付けに使用される別の構造を示す。図６、７はシステムを通る空気量に基づいて決定される多くの散布パターンの中の推奨可能な２例を示す。
【００３２】
図６は有孔板の最初の露出位置に比較的幅の広い孔の分散が存在し、反対側は密集しているがなお幅広く分散されているパターンを示す。
【００３３】
図７は幅広くしかし図６より密集した最初の分散で始まり、図６より一層密集したパターンで終わっている別の分散パターンを示す。
以下、本発明の好ましい実施態様を項分け記載する。
（実施態様１）
空気流量を調節するための少なくとも１個の空気調整区画と、
前記空気調整区画を迂回させる空気の流通路を作るため前記空気調整区画の近くに設けたバイパス区画と、
前記空気調整区画への空気流を遮断する前記空気調整区画の前方にある第１位置と前記バイパス区画を通る空気流を遮断する第２位置との間を選択的に移動する移動可能パネル部材とを備え、
前記移動可能パネル部材を選択的に配置することにより、前記空気調整区画と前記バイパス区画を通る空気量を変化させ、前記空気調整区画で調整されるべき空気量を選択的に変えるように構成したことを特徴とする空気調整システムにおける空気処理システム。
（実施態様２）
複数の空気調整区画と複数のバイパス区画と複数の移動可能パネル部材を有することを特徴とする実施態様１記載の空気処理システム。
（実施態様３）
前記空気調整区画およびバイパス区画への空気の流通路を作るため前記各空気調整区画の近くに複数の側部パネル部材を有することを特徴とする実施態様２記載の空気処理システム。
（実施態様４）
前記複数の移動可能パネル部材が、前記空気処理システムを通る空気流の方向に対し横方向に滑走可能に取り付けられ且つ前記側部パネル部材と空気密封状態にあるように配置されて前記第１位置にあるときには前記空気調整区画を通る空気流を制限し且つ前記第２位置にあるときには前記バイパス区画を通る空気流を制限するように構成されたことを特徴とする実施態様３記載の空気処理システム。
（実施態様５）
前記空気調整区画の前方の空気流方向の上流に有孔板を配置することを特徴とする実施態様２記載の空気処理システム。
（実施態様６）
前記有孔板の孔が均等に隔置されていないこと、および前記移動可能パネル部材が前記第１位置から前記第２位置へ移動し始めるとき最初に空気流に露出される前記有孔板の部分で孔が一層幅広く隔置されていることを特徴とする実施態様５記載の空気処理システム。
（実施態様７）
前記空気調整区画が給湿区画であることを特徴とする実施態様１記載の空気処理システム。
（実施態様８）
前記空気調整区画が空気冷却区画であることを特徴とする実施態様１記載の空気処理システム。
（実施態様９）
前記空気調整区画が空気加熱区画であることを特徴とする実施態様１記載の空気処理システム。
（実施態様１０）
前記空気調整区画が除湿区画であることを特徴とする実施態様１記載の空気処理システム。
（実施態様１１）
前記空気調整区画が空気冷却、空気加熱、給湿および除湿区画であることを特徴とする実施態様１記載の空気処理システム。
（実施態様１２）
空気調整装置の空気処理システムであって、前記空気調整装置を通る空気流量と、周囲空気が調整されずに前記空気処理システム中を流通して、前記空気調整装置内で調整された空気と前記空気処理システムの下流で混合される空気バイパス区画を通る空気流量との間で空気流量を変えるようにした空気調整装置の空気処理システムにおいて、
加熱、冷却、給湿および／または除湿することにより、そこを通る周囲空気を調整するための少なくとも１個の空気調整装置と、
前記空気調整装置を迂回するように周囲空気の流れを方向付けるため前記空気調整装置の近くに設けたバイパス区画と、
前記空気処理システムを通る周囲空気を、流入する周囲空気の全量が前記空気調整装置を通る第１空気流通路から、流入する周囲空気の全量が前記バイパス区画を通って調整されずに流れる第２空気流通路に、選択的に方向変換する装置とを備え、
前記周囲空気を選択的に方向変換する装置が、前記第１空気流通路と第２空気流通路との間の中間位置において前記空気調整装置と前記バイパス区画を通る周囲空気の量を変化させて、前記空気調整装置を通る空気が冷却、加熱、給湿および／または除湿の作用により調整され且つ前記バイパス区画を通る空気が調整されないように構成されていることを特徴とする空気処理システム。
（実施態様１３）
複数の空気調整装置と複数のバイパス区画を有することを特徴とする実施態様１２記載の空気処理システム。
（実施態様１４）
前記空気処理システムを通る周囲空気を選択的に方向変換する装置が、前記空気調整装置および前記バイパス区画の上流で前記空気処理システムを通る空気流方向を横切って配置され、且つ前記空気調整装置を通る空気流を遮断する第１位置と前記バイパス区画を通る空気流を遮断する第２位置との間を選択的に移動することができる複数のパネル部材を有し、前記第１位置と第２位置との間の中間位置において前記空気調整装置と前記バイパス区画を通る空気流を変化させて空気処理システムの下流で混合させることができることを特徴とする実施態様１３記載の空気処理システム。
（実施態様１５）
前記空気調整装置および前記バイパス区画を通る空気の圧力差を調節する装置を前記空気調整装置および前記バイパス区画の上流に設けたことを特徴とする実施態様１４記載の空気処理システム。
（実施態様１６）
前記圧力差を調節する装置が、間隔のおかれた空気の流通孔を有する板部材を含むことを特徴とする実施態様１５記載の空気処理システム。
（実施態様１７）
前記板部材の前記孔が該板部材全体に不均等に配置されていることを特徴とする実施態様１６記載の空気処理システム。
（実施態様１８）
前記パネル部材が前記第１位置から第２位置へ移動し始めるとき最初に露出される前記板部材の部分に在る孔が、残りの部分に在る孔よりも幅広く隔置されていることを特徴とする実施態様１７記載の空気処理システム。
（実施態様１９）
前記板部材の孔の間隔が該板部材を横切って徐々に減少することを特徴とする実施態様１８記載の空気処理システム。
【図面の簡単な説明】
【図１Ａ】  本発明の実施の形態の分解斜視図
【図１Ｂ】  任意の作動位置における本発明の好適な実施の形態の斜視図
【図１Ｃ】  別の作動位置における図１Ｂに類似の斜視図
【図１Ｄ】  別の作動位置における図１Ｂおよび図１Ｃに類似の斜視図
【図２】  本発明の好適な実施の形態に使用される好適なＨＶＡＣシステムと有孔板を示す分割正面図
【図３】  本発明の好適な実施の形態の別の状態を示す分割正面図
【図４】  本発明の好適な実施の形態の分割平面図および部分断面図
【図５】  本発明の好適な実施の形態の側面図
【図６】  好適な実施の形態に使用される調節板の孔の配列を示す正面図
【図７】  好適な実施の形態に使用される調節板の孔の配列を示す正面図
【符号の説明】
１０    空気処理システム
１２    空調コアー
１４    空調コアー
１６    空調コアー
１８    バイパス通路
２０    バイパス通路
２２    バイパス通路
２４    板
２６    有孔板
２８    ブランキング板
３０    有孔板
３２    孔
３４    有孔板
３６    移動可能パネル
３８    移動可能パネル
４０    移動可能パネル
４２    移動可能パネル
４４    移動可能パネル
４６    移動可能パネル
５８    上部ガイド軌道
６０    下部ガイド軌道
６４    Ｖ溝軌道
６６    Ｖ溝軌道
６８    リニア・アクチュエータ
【図１Ａ】
0003756408.tif 000004
【図１Ｂ】
0003756408.tif 000005
【図１Ｃ】
0003756408.tif 000006
【図１Ｄ】
0003756408.tif 000007
【図２】
0003756408.tif 000008
【図３】
0003756408.tif 000009
【図４】
0003756408.tif 000010
【図５】
0003756408.tif 000011
【図６】
0003756408.tif 000012
【図７】
0003756408.tif 000013